(57)【要約】【課題】  連続血圧測定によって得られた血圧データに含まれる急激な血圧変動がサージ血圧であるのか否かを判断することができる血圧データ処理装置を提供する。【解決手段】  本発明の一態様に係る血圧データ処理装置は、血圧データを取得する血圧データ取得部と、前記血圧データからサージ血圧候補となる血圧波形を検出するサージ血圧候補検出部と、前記サージ血圧候補の前記血圧波形から一心拍以上の血圧波形を抽出する血圧波形抽出部と、前記一心拍以上の血圧波形からから分離した一心拍分の血圧波形の各々について、または、前記一心拍以上の血圧波形から分離した前記一心拍分の血圧波形を平均した平均血圧波形について、波形特徴量を算出する波形特徴量算出部と、前記波形特徴量に基づいて、前記サージ血圧候補の前記血圧波形がサージ血圧であるか否かを識別するサージ血圧識別部と、を備える。【選択図】図７
2018149188.tif 000002
【特許請求の範囲】
【請求項１】
血圧データを取得する血圧データ取得部と、
前記血圧データからサージ血圧候補となる血圧波形を検出するサージ血圧候補検出部と、
前記サージ血圧候補の前記血圧波形から一心拍以上の血圧波形を抽出する血圧波形抽出部と、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出する波形特徴量算出部と、
前記波形特徴量に基づいて、前記サージ血圧候補の前記血圧波形がサージ血圧であるか否かを識別するサージ血圧識別部と、
を具備する血圧データ処理装置。
【請求項２】
前記波形特徴量は、複数種類の波形特徴量を含み、
前記サージ血圧識別部は、前記複数種類の波形特徴量と特徴空間上に設定された境界とに基づいて、前記サージ血圧候補の前記血圧波形がサージ血圧であるか否かを識別する請求項１に記載の血圧データ処理装置。
【請求項３】
前記サージ血圧候補の前記血圧波形は、立ち上がり部分および前記立ち上がり部分の後に続く立ち下がり部分を含み、
前記血圧波形抽出部は、前記サージ血圧候補の前記血圧波形の前記立ち上がり部分から前記一心拍以上の血圧波形を抽出する、請求項１または請求項２に記載の血圧データ処理装置。
【請求項４】
前記波形特徴量は、ダイアストリックピークの時刻からシストリックピークの時刻までの時間間隔、前記ダイアストリックピークの前記時刻からダイクロティックピークの時刻までの時間間隔、前記シストリックピークの時間幅、全パルス時間、前記シストリックピークの振幅、および前記ダイクロティックピークの振幅の少なくとも１つに基づいている、請求項１乃至請求項３のいずれか一項に記載の血圧データ処理装置。
【請求項５】
前記波形特徴量は、前記シストリックピークの前記時間幅と前記全パルス時間との比に基づく波形特徴量を含む、請求項４に記載の血圧データ処理装置。
【請求項６】
前記波形特徴量算出部は、前記一心拍以上の血圧波形に対して一次微分または二次微分を含む前処理を行い、前記前処理により得られる波形に基づいて前記ダイアストリックピーク、前記シストリックピーク、および前記ダイクロティックピークを特定する、請求項４または請求項５に記載の血圧データ処理装置。
【請求項７】
前記サージ血圧識別部によりサージ血圧でないと識別された血圧波形を表示する表示部と、
前記表示された血圧波形がサージ血圧であるか否かを示す指示を受け付ける受付部と、
をさらに具備する請求項１乃至請求項６のいずれか一項に記載の血圧データ処理装置。
【請求項８】
前記サージ血圧識別部によりサージ血圧でないと識別された血圧波形に含まれる一心拍以上の血圧波形に対してクラスタリングを行い、クラスを生成するクラスタリング部と、
前記クラスを代表する一心拍以上の血圧波形を含む情報を出力する出力部と、
をさらに具備する、請求項１乃至請求項７のいずれか一項に記載の血圧データ処理装置。
【請求項９】
血圧データを取得することと、
前記血圧データからサージ血圧候補となる血圧波形を検出することと、
前記サージ血圧候補の前記血圧波形から一心拍以上の血圧波形を抽出することと、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出することと、
前記波形特徴量に基づいて、前記サージ血圧候補の前記血圧波形がサージ血圧であるか否かを識別することと、
を具備する血圧データ処理方法。
【請求項１０】
コンピュータを請求項１乃至請求項８のいずれか一項に記載の血圧データ処理装置として機能させるためのプログラム。
【発明の詳細な説明】
【技術分野】
【０００１】
本発明は、血圧データを処理する技術に関する。
【背景技術】
【０００２】
睡眠時無呼吸症候群（ＳＡＳ；Sleep Apnea Syndrome）を罹患している患者において、無呼吸後の呼吸再開時に、血圧が急激に上昇しその後に下降することが知られている。以下では、このような急激な血圧変動をサージ血圧と呼ぶ。患者に発生したサージ血圧に関連する指標（例えば、単位時間当たりにサージ血圧が発生した回数）は、ＳＡＳや高血圧のような、脳疾患または心血管疾患の発症リスクを高める疾患の診断や治療に役立つと考えられる。
【０００３】
サージ血圧を観測するためには、例えば一心拍ごとの血圧を測定することができる血圧測定装置のような、血圧を連続的に測定することができる血圧測定装置が必要となる。連続血圧測定によって得られた血圧データの量は膨大であり、医師や研究者などの専門家が血圧データを分析してサージ血圧を抽出することは困難である。このため、血圧データからサージ血圧を自動で抽出する技術の開発が進められている。特許文献１には、動脈圧波形データを用いて患者の血管症状を検出する方法が開示されている。この方法では、血管症状の有無を評価しているだけであり、サージ血圧のような繰り返し生じる血圧異常を捉えることはできない。
【先行技術文献】
【特許文献】
【０００４】
【特許文献１】特開２０１４−１５８９５６号公報
【発明の概要】
【発明が解決しようとする課題】
【０００５】
サージ血圧についての十分な知見がなく、したがって、連続血圧測定によって得られた血圧データに含まれる急激な血圧変動がサージ血圧であるのかノイズであるのかを判断することは困難である。
【０００６】
本発明は、上記の事情に着目してなされたものであり、その目的は、連続血圧測定によって得られた血圧データに含まれる急激な血圧変動がサージ血圧であるのか否かを判断することができる血圧データ処理装置、血圧データ処理方法、およびプログラムを提供することである。
【課題を解決するための手段】
【０００７】
本発明の第１の態様では、血圧データ処理装置は、血圧データを取得する血圧データ取得部と、前記血圧データからサージ血圧候補となる血圧波形を検出するサージ血圧候補検出部と、前記サージ血圧候補の前記血圧波形から一心拍以上の血圧波形を抽出する血圧波形抽出部と、前記一心拍以上の血圧波形から分離した一心拍分の血圧波形の各々について、または、前記一心拍以上の血圧波形から分離した前記一心拍分の血圧波形を平均した平均血圧波形について、波形特徴量を算出する波形特徴量算出部と、前記波形特徴量に基づいて、前記サージ血圧候補の前記血圧波形がサージ血圧であるか否かを識別するサージ血圧識別部と、を備える。
【０００８】
本発明の第２の態様では、前記波形特徴量は、複数種類の波形特徴量を含み、前記サージ血圧識別部は、前記複数種類の波形特徴量と特徴空間上に設定された境界とに基づいて、前記サージ血圧候補の前記血圧波形がサージ血圧であるか否かを識別する。
【０００９】
本発明の第３の態様では、前記サージ血圧候補の前記血圧波形は、立ち上がり部分および前記立ち上がり部分の後に続く立ち下がり部分を含み、前記血圧波形抽出部は、前記サージ血圧候補の前記血圧波形の前記立ち上がり部分から前記一心拍以上の血圧波形を抽出する。
【００１０】
本発明の第４の態様では、前記波形特徴量は、ダイアストリックピークの時刻からシストリックピークの時刻までの時間間隔、前記ダイアストリックピークの前記時刻からダイクロティックピークの時刻までの時間間隔、前記シストリックピークの時間幅、全パルス時間、前記シストリックピークの振幅、および前記ダイクロティックピークの振幅の少なくとも１つに基づいている。
【００１１】
本発明の第５の態様では、前記波形特徴量は、前記シストリックピークの前記時間幅と前記全パルス時間との比に基づく波形特徴量を含む。
【００１２】
本発明の第６の態様では、前記波形特徴量算出部は、前記一心拍以上の血圧波形に対して一次微分または二次微分を含む前処理を行い、前記前処理により得られる波形に基づいて前記ダイアストリックピーク、前記シストリックピーク、および前記ダイクロティックピークを特定する。
【００１３】
本発明の第７の態様では、血圧データ処理装置は、前記サージ血圧識別部によりサージ血圧でないと識別された血圧波形を表示する表示部と、前記表示された血圧波形がサージ血圧であるか否かを示す指示を受け付ける受付部と、をさらに備える。
【００１４】
本発明の第８の態様では、血圧データ処理装置は、前記サージ血圧識別部によりサージ血圧でないと識別された血圧波形に含まれる一心拍以上の血圧波形に対してクラスタリングを行い、クラスを生成するクラスタリング部と、前記クラスを代表する一心拍以上の血圧波形を含む情報を出力する出力部と、をさらに備える。
【発明の効果】
【００１５】
第１の態様によれば、サージ血圧候補の血圧波形に含まれる一心拍分の血圧波形の各々または平均血圧波形について算出される波形特徴量に基づいてサージ血圧候補の血圧波形がサージ血圧であるか否かが判定される。これにより、人手を介することなく、サージ血圧候補の血圧波形がサージ血圧であるか否かを判定することが可能になる。
【００１６】
第２の態様によれば、サージ血圧を識別するための境界が特徴空間に予め定められる。これにより、少ない処理量でサージ血圧か否かを判定することが可能になる。
【００１７】
第３の態様によれば、波形特徴量は、サージ血圧の立ち上がり部分に含まれる一心拍分の血圧波形の各々または平均血圧波形について算出される。これにより、サージ血圧が発生した要因を精度よく識別することが可能になる。
【００１８】
第４の態様によれば、ダイアストリックピークの時刻からシストリックピークの時刻までの時間間隔、ダイアストリックピークの時刻からダイクロティックピークの時刻までの時間間隔、シストリックピークの時間幅、全パルス時間、シストリックピークの振幅、およびダイクロティックピークの振幅の少なくとも１つに基づく波形特徴量が用いられる。これにより、サージ血圧が発生した要因を精度よく識別することが可能になる。
【００１９】
第５の態様によれば、シストリックピークの時間幅と全パルス時間との比に基づく波形特徴量が用いられる。これにより、サージ血圧が発生した要因を精度よく識別することが可能になる。
【００２０】
第６の態様によれば、一心拍以上の血圧波形に対して一次微分または二次微分を含む前処理が行われる。これにより、ダイアストリックピーク、シストリックピーク、およびダイクロティックピークなどの特徴点を特定する処理が容易になる。
【００２１】
第７の態様によれば、サージ血圧識別部によりサージ血圧でないと識別された血圧波形が表示される。これにより、表示された血圧波形に対して専門家がサージ血圧であるか否かの判定を行うことができる。
【００２２】
第８の態様によれば、サージ血圧判定部によりサージ血圧でないと判定された血圧波形に含まれる一心拍以上の血圧波形に対してクラスタリングが行われ、その結果得られたクラスを代表する血圧波形を含む情報が出力される。これにより、専門家に新たなクラスを提示することが可能になり、既に定義されている要因以外の要因を発見することが可能になる。
【００２３】
すなわち、本発明によれば、連続血圧測定によって得られた血圧データに含まれる急激な血圧変動がサージ血圧であるのか否かを判断することができる血圧データ処理装置、血圧データ処理方法、およびプログラムを提供することができる。
【図面の簡単な説明】
【００２４】
【図１】第１の実施形態に係る血圧データ処理装置を示すブロック図。
【図２】図１に示した血圧測定装置の一例を示すブロック図。
【図３】図２に示した血圧測定部の外観を示す側面図。
【図４】図２に示した血圧測定部を示す断面図。
【図５】図２に示した血圧測定部を示す平面図。
【図６】サージ血圧の波形の一例を示す図。
【図７】図１に示したサージ血圧識別部を示すブロック図。
【図８】波形特徴量を説明するための図。
【図９】サージ血圧識別用データを生成する方法例を説明するための図。
【図１０】サージ血圧識別用データを生成する方法例を説明するための図。
【図１１】第１の実施形態に係る血圧データ処理装置の処理例を示すフローチャート。
【図１２】クラスタリングの結果を示す図。
【図１３】新たに生成されたクラスの代表血圧波形を表示する画面を示す図。
【図１４】ラベル付けされた後の特徴空間を示す図。
【図１５】図１の血圧データ処理装置のハードウェア構成例を示すブロック図。
【発明を実施するための形態】
【００２５】
以下、図面を参照しながら本発明の実施形態を説明する。
【００２６】
［第１の実施形態］
図１は、第１の実施形態に係る血圧データ処理装置１０を概略的に示している。図１に示すように、血圧データ処理装置１０は、被測定者（ユーザ）の血圧を測定する血圧測定装置２０において得られた血圧データを処理するものである。血圧データ処理装置１０は、例えば、パーソナルコンピュータまたはサーバなどのコンピュータ上に実装されることができる。
【００２７】
まず、血圧測定装置２０について説明する。血圧測定装置２０は、被測定者の血圧を連続的に測定して血圧データを生成する。具体的には、血圧測定装置２０は、被測定者の動脈の脈波を測定し、測定した脈波を血圧に変換することで、血圧データを生成する。血圧データは、測定した脈波の波形に対応する血圧波形のデータを含む。血圧データは、血圧特徴量（血圧値）の時系列データをさらに含んでもよい。血圧特徴量は、例えば、収縮期血圧（ＳＢＰ；Systolic Blood Pressure）および拡張期血圧（ＤＢＰ；Diastolic Blood Pressure）を含むが、これに限定されない。一心拍分の脈波波形における最大値は収縮期血圧に対応し、一心拍分の脈波波形における最小値は拡張期血圧に対応する。
【００２８】
第１の実施形態では、血圧測定装置２０は、トノメトリ法により脈波としての圧脈波を測定する。ここで、トノメトリ法とは、皮膚の上から動脈を適切な圧力で押圧して動脈に扁平部を形成し、動脈内部と外部とのバランスがとれた状態で圧力センサにより非侵襲的に圧脈波を計測する方法をいう。トノメトリ法によれば、一心拍ごとの血圧値を得ることができる。
【００２９】
血圧測定装置２０は、被測定者に装着されるウェアラブル装置であってもよく、被測定者の上腕を固定台に載置した状態で血圧測定を行うような据え置き型装置であってもよい。図２から図５を参照して以下に説明する例では、血圧測定装置２０は、被測定者の手首に装着されるウェアラブル装置である。
【００３０】
図２は、血圧測定装置２０の一例を概略的に示している。図２に示す血圧測定装置２０は、血圧測定部２１、加速度センサ２４、記憶部２５、入力部２６、出力部２７、および制御部２８を備える。制御部２８は、血圧測定装置２０の各部を制御する。制御部２８の機能は、ＣＰＵ（Central Processing Unit）などのプロセッサがＲＯＭ（Read-Only Memory）などのコンピュータ読み取り可能な記憶媒体に記憶されている制御プログラムを実行することにより実現されることができる。
【００３１】
血圧測定部２１は、橈骨動脈の圧脈波を測定する。図３は、血圧測定部２１が図示しないベルトによって被測定者の手首Ｗに装着された状態を示す側面図であり、図４は、血圧測定部２１の構造を概略的に示す断面図である。図３および図４に示すように、血圧測定部２１は、センサ部２２および押圧機構２３を備える。センサ部２２は、橈骨動脈ＲＡが内部に存在する部位（この例では手首Ｗ）に接触するように配置される。押圧機構２３は、センサ部２２を手首Ｗに対して押圧する。トノメトリ法では、最適な押圧条件下では圧脈波と血圧が等しくなる。
【００３２】
図５は、センサ部２２の手首Ｗと接触する側の面を示している。図５に示すように、センサ部２２は、１以上の（この例では２つの）圧力センサアレイ２２１を備え、圧力センサアレイ２２１の各々は、方向Ｂに配列された複数の（例えば４６個の）圧力センサ２２２を有する。方向Ｂは、血圧測定装置２０が被測定者に装着された状態において橈骨動脈の伸びる方向Ａと交差する方向である。圧力センサ２２２の配置は図５に示す例に限定されない。圧力センサ２２２には、識別情報としてのチャンネル番号が付与されている。
【００３３】
各圧力センサ２２２は、圧力を測定して圧力データを生成する。圧力センサとしては、圧力を電気信号に変換する圧電素子を用いることができる。圧電素子の出力信号は、所定の（例えば１２５Ｈｚの）サンプリング周波数でデジタル信号に変換され、それにより圧力データが得られる。上述した脈波データに対応する圧脈波データは、圧力センサ２２２の中から適応的に選択された１つの圧力センサ（アクティブチャンネル）２２２から出力された圧力データに基づいて生成される。
【００３４】
押圧機構２３は、例えば、空気袋と空気袋の内圧を調整するポンプとを含む。ポンプが空気袋の内圧を高めるように制御部２８によって駆動されると、空気袋の膨張により圧力センサ２２２が手首Ｗに押し当てられる。なお、押圧機構２３は、空気袋を用いた構造に限定されず、圧力センサ２２２を手首Ｗに押し当てる力を調整できるいかなる構造により実現されてもよい。
【００３５】
加速度センサ２４は、血圧測定装置２０に作用する加速度を検出して加速度データを生成する。加速度センサ２４としては、例えば、三軸加速度センサを用いることができる。加速度の検出は、血圧測定と並行して実行される。
【００３６】
記憶部２５は、コンピュータ読み取り可能な記憶媒体を含む。例えば、記憶部２５は、ＲＯＭ、ＲＡＭ（Random Access Memory）、および補助記憶装置を含む。ＲＯＭは、上述した制御プログラムを記憶する。ＲＡＭはＣＰＵによってワークメモリとして使用される。補助記憶装置は、血圧測定部２１によって生成された血圧データおよび加速度センサ２４によって生成された加速度データを含む各種データを記憶する。補助記憶装置は、例えば、フラッシュメモリを含む。補助記憶装置は、血圧測定装置２０に内蔵された記憶媒体、メモリーカードなどのリムーバブルメディア、またはこれら両方を含む。
【００３７】
入力部２６は、被測定者からの指示を受け付ける。入力部２６は、例えば、操作ボタン、タッチパネルなどを含む。出力部２７は、血圧測定結果などの情報を出力する。出力部２７は、例えば、液晶表示装置などの表示装置を含む。
【００３８】
上述した構成を有する血圧測定装置２０によれば、血圧データおよび加速度データが得られる。例えば、被測定者が睡眠している期間全体（例えば一晩）にわたって測定が行われ、測定で得られた血圧データおよび加速度データが血圧データ処理装置１０へ入力される。
【００３９】
なお、血圧測定装置２０は、トノメトリ法による血圧測定装置に限らず、血圧を連続的に測定できる任意のタイプの血圧測定装置であってもよい。例えば、脈波としての容積脈波を測定する血圧測定装置を用いてもよい。この血圧測定装置は、例えば、光電センサまたは超音波プローブを用いて動脈の容積脈波を測定し、測定した容積脈波に基づいて血圧を推定することができる。また、動脈を伝播する脈波の伝播時間である脈波伝播時間（ＰＴＴ；Pulse Transit Time）を測定し、測定した脈波伝播時間に基づいて血圧を推定する血圧測定装置を用いてもよい。
【００４０】
次に、血圧データ処理装置１０について説明する。図１に示すように、血圧データ処理装置１０は、血圧データ取得部１１、血圧データ記憶部１２、前処理部１３、サージ血圧候補検出部１４、サージ血圧判定部１５、情報生成部１６、情報出力部１７、および指示受付部１８を備える。
【００４１】
血圧データ取得部１１は、血圧測定装置２０から血圧データを取得し、血圧データ記憶部１２に保存する。血圧データは、メモリーカードなどのリムーバブルメディアによって血圧測定装置２０から血圧データ処理装置１０へ提供されてもよい。あるいは、血圧データは、通信（有線通信または無線通信）によって血圧測定装置２０から血圧データ処理装置１０へ提供されてもよい。さらに、血圧データ取得部１１は、血圧測定装置２０に設けられた加速度センサから出力された加速度データなどをさらに取得してもよい。
【００４２】
前処理部１３は、血圧データ記憶部１２から血圧データを受け取り、血圧データに対して前処理を行う。例えば、前処理部１３は、血圧データに含まれるまたは血圧データから生成された収縮期血圧の時系列データに対して、平滑化、スパイクノイズ除去、高周波成分除去などの前処理を行う。前処理は、加速度データを用いて被測定者の体動を検出し、体動が検出された時間区間の血圧データを補正する処理を含んでもよい。
【００４３】
サージ血圧候補検出部１４は、前処理された血圧データからサージ血圧候補となる血圧波形を検出する。サージ血圧候補となる血圧波形を検出する処理には、例えば、収縮期血圧の時系列データが用いられる。サージ血圧候補となる血圧波形を検出する方法はいかなるものであってもよい。第１の実施形態では、どのような血圧波形をサージ血圧候補として検出するかについての制限はない。サージ血圧候補は、対象とする要因（例えば無呼吸）により生じた急激な血圧変動とともに、対象とする要因以外の要因により生じた急激な血圧変動、および血圧データに含まれるノイズに起因して検出された血圧変動を含む。サージ血圧候補の中から対象とする要因により生じた急激な血圧変動がサージ血圧として特定される。
【００４４】
図６は、サージ血圧の一例を示している。図６において、横軸は時間であり、縦軸は血圧である。時刻ｔ１から時刻ｔ３までの時間区間（サージ区間と呼ぶ）における血圧波形がサージ血圧に対応する。サージ区間において、血圧が上昇しその後に下降している。このような血圧変動がサージ血圧候補として検出される。サージ血圧候補は、識別番号、サージ区間において血圧値が最大となる時刻（ピーク時刻と呼ぶ）ｔ２、サージ区間の開始時刻ｔ１、およびサージ区間の終了時刻ｔ３を含む情報で管理されることができる。この情報は、サージ区間における最大血圧値を含んでもよい。
【００４５】
サージ血圧判定部１５は、サージ血圧候補検出部１４によって検出されたサージ血圧候補の血圧波形がサージ血圧であるか否かを判定する。サージ血圧判定部１５の処理については後により詳細に説明する。
【００４６】
情報生成部１６は、測定血圧情報を生成する。情報生成部１６は、サージ血圧判定部１５によりサージ血圧と判定された血圧波形に基づいて、サージ血圧に関連する指標を生成することができる。サージ血圧に関連する指標は、例えば、単位時間当たりにサージ血圧が発生した回数、サージ血圧それぞれの最大血圧値の平均値、およびサージ血圧それぞれの最大血圧値における最大値を含む。これにより、被測定者に発生したサージ血圧に関連する指標を提供することが可能になる。さらに、情報生成部１６は、血圧データ記憶部１２に記憶されている血圧データに基づいて、平均血圧値など、血圧に関連する様々な指標を生成することができる。また、情報生成部１６は、血圧データから血圧波形を示すグラフを生成し、グラフ上にサージ血圧の位置を示すサージ血圧位置情報（例えば矢印）を付加してもよい。
【００４７】
情報出力部１７は、情報生成部１６によって生成された測定血圧情報を出力する。例えば、情報出力部１７は測定血圧情報を含む画像データを生成し、画像データに応じた画像が表示装置に表示される。また、情報出力部１７は、サージ血圧位置情報を含む血圧波形の画像データを生成し、その画像データに応じた画像が表示装置に表示される。さらに、情報出力部１７は、サージ血圧判定部１５によってサージ血圧でないと判定された血圧波形を出力してもよい。
【００４８】
指示受付部１８は、オペレータ（例えば専門家）からの指示を受け付ける。指示の例は、サージ血圧判定部１５によってサージ血圧でないと判定されて情報出力部１７によって表示された血圧波形がサージ血圧であるか否かを示す指示を含む。例えば、専門家は、サージ血圧判定部１５によってサージ血圧でないと判定されて情報出力部１７によって表示された血圧波形を観察し、この血圧波形がサージ血圧であるか否かを判定し、入力装置を介して判定結果を入力する。情報生成部１６は、入力された判定結果に基づいてサージ血圧に関連する指標を計算し直してもよい。サージ血圧判定部１５によりサージ血圧でないと判定された血圧波形を表示することにより、専門家がそれがサージ血圧であるか否かを個別に判定することが可能になり、その結果、より正確な測定血圧情報を提供することができる。
【００４９】
サージ血圧判定部１５について詳細に説明する。  
図７は、サージ血圧判定部１５の構成例を概略的に示している。図７に示すように、サージ血圧判定部１５は、対象区間設定部１５１、血圧波形抽出部１５２、波形特徴量算出部１５３、サージ血圧識別部１５４、サージ血圧識別用データ生成部１５５、およびサージ血圧波形記憶部１５６を備える。
【００５０】
対象区間設定部１５１は、サージ血圧候補の血圧波形から一心拍以上の血圧波形を抽出するための対象区間を設定する。例えば、サージ血圧候補の血圧波形の立ち上がり期間が対象区間として設定される。サージ血圧候補の血圧波形の立ち上がり期間は、開始時刻ｔ１からピーク時刻ｔ２までの時間区間を指す。立ち上がり期間の一部が対象区間として設定されてもよい。また、立ち下がり期間の一部または全部が対象区間として設定されてもよい。立ち下がり期間は、ピーク時刻ｔ２から終了時刻ｔ３までの時間区間を指す。本発明者らは、サージ血圧候補の血圧波形の立ち上がり期間を対象区間として使用することで、サージ血圧候補の血圧波形がサージ血圧であるか否かの判定を精度よく行うことができることを確認した。したがって、好適には、サージ血圧候補の血圧波形の立ち上がり期間の一部または全部が対象区間として設定される。
【００５１】
血圧波形抽出部１５２は、対象区間におけるサージ血圧候補の血圧波形から一心拍以上の血圧波形を抽出する。サージ血圧候補の血圧波形の立ち上がり期間は典型的には５〜２５秒程度であり、したがって、複数心拍にわたる血圧波形が抽出される。なお、サージ血圧候補の立ち上がり期間の一部が対象区間として使用される場合のように対象区間が短い場合、二心拍分に満たない血圧波形が抽出されることもある。
【００５２】
波形特徴量算出部１５３は、血圧波形抽出部１５２によって抽出された一心拍以上の血圧波形から波形特徴量を算出する。例えば、波形特徴量算出部１５３は、血圧波形抽出部１５２によって抽出された一心拍以上の血圧波形から１つ以上の一心拍分の血圧波形を分離または抽出し、分離した一心拍分の血圧波形の各々について波形特徴量を算出する。また、波形特徴量算出部１５３は、分離または抽出した一心拍分の血圧波形を平均した平均血圧波形を生成し、平均血圧波形について波形特徴量を算出してもよい。波形特徴量は、一心拍以上の血圧波形の形状に基づいて算出される。波形特徴量は、１種類または複数種類の波形特徴量を含む。第１の実施形態では、複数種類の波形特徴量が使用される。波形特徴量は、特徴ベクトルで表すことができる。
【００５３】
図８を参照して波形特徴量について説明する。図８は、一心拍分の血圧波形を例示している。図８において、Ｔ０は、一心拍分の血圧波形において血圧値（例えば圧脈波の値）が最小になる点である。点Ｔ０をダイアストリックピーク（diastolic peak）またはダイアストリックオンセット（diastolic onset）と呼ぶ。Ｔ１は、一心拍分の血圧波形において血圧値が最大になる点である。点Ｔ１をシストリックピーク（systolic peak）と呼ぶ。Ｔ２は、点Ｔ１の後に現れる変曲点である。点Ｔ２をダイクロティックノッチ（dicrotic notch）と呼ぶ。Ｔ３は、点Ｔ２の後に現れる変曲点、すなわち、最大点Ｔ１より後に現れる血圧値が極大になる点である。点Ｔ３をダイクロティックピーク（dicrotic peak）と呼ぶ。Ｔ４は、血圧値が最小になる点であって、次の一心拍分の血圧波形の始点となる点である。ＡＰ１は、シストリックピークの振幅、すなわち、最大値から最小値を引いた差分値を表す。ＡＰ２は、ダイクロティックピークの振幅、すなわち、２番目の極大値から最小値を引いた差分値を表す。ＴＰ１は、シストリックピークまでの時間、すなわち、最小値の時刻から最大値の時刻までの時間を表す。ＴＰ２は、ダイクロティックピークまでの時間、すなわち、最小値の時刻から２番目の極大値の時刻までの時間を表す。ＴＰＴは、全パルス時間、すなわち、一心拍分の血圧波形の時間長を表す。ＩＷＴは、シストリックピークの時間幅を表す。例えば、ＩＷＴは、シストリックピークの高さ（ＡＰ１）の３分の２の値をとる波間時間である。波形特徴量は、これらのパラメータＡＰ１、ＡＰ２、ＴＰ１、ＴＰ２、ＴＰＴ、ＩＷＴのうちの少なくとも１つに基づくことができる。例えば、ＴＰ１、ＩＷＴ／ＴＰＴ、ＴＰ１／ＴＰＴ、ＴＰ２／ＴＰＴ、（ＴＰ２−ＴＰ１）／ＴＰＴ、ＡＰ２／ＡＰ１などに基づく波形特徴量を用いることができる。一例では、ＩＷＴ／ＴＰＴとＡＰ２／ＡＰ１の２種類の波形特徴量が用いられる。なお、波形特徴量は、上述したパラメータとは異なるパラメータに基づいていてもよい。
【００５４】
波形特徴量算出部１５３は、点Ｔ０、Ｔ１、Ｔ２、Ｔ３、Ｔ４などの特徴点を特定するために、血圧波形に対して一次微分および／または二次微分を含む前処理を行ってもよい。血圧波形の一次微分および／または二次微分を用いることにより、特徴点を特定する処理が容易になる。
【００５５】
サージ血圧識別部１５４は、波形特徴量算出部１５３によって算出された波形特徴量に基づいて、サージ血圧候補の血圧波形がサージ血圧か否かを識別する。サージ血圧識別部１５４は、識別を行うために、サージ血圧識別用データ生成部１５５によって生成されたサージ血圧識別用データを使用する。サージ血圧識別部１５４についての具体的な説明を行う前に、サージ血圧識別用データについて説明する。
【００５６】
サージ血圧波形記憶部１５６は、典型的なサージ血圧波形のデータを格納している。ここでいうサージ血圧波形は、図８に示すような一心拍分の血圧波形を含む一心拍以上の血圧波形を指す。典型的なサージ血圧波形は、医師や研究者などの専門家が任意の被測定者について得られた血圧データを解析することで得ることができる。例えば、典型的なサージ血圧波形は、無呼吸後の呼吸再開時に発生するサージ血圧のように、何らかの疾患に関連するとされるサージ血圧から抽出される。
【００５７】
サージ血圧識別用データ生成部１５５は、サージ血圧波形記憶部１５６に格納されているサージ血圧波形データに基づいて、サージ血圧識別部１５４が識別を行うために使用するデータ（サージ血圧識別用データ）を生成する。サージ血圧識別用データ生成部１５５は、サージ血圧波形それぞれについて波形特徴量を算出する。波形特徴量の算出は、波形特徴量算出部１５３に関して説明したものと同様の方法で行われることができる。サージ血圧識別用データ生成部１５５は、算出した波形特徴量に基づいて、サージ血圧か否かを識別するための境界線または面を特徴空間上に定める。サージ血圧識別用データ生成部１５５は、２σ法または３σ法のようにデータの約９５．４％または約９９．７％が含まれる境界線または境界面を特徴空間上に定める。境界は、例えば、マハラノビス距離、１クラスサポートベクターマシン（ＳＶＭ；Support Vector Machine）などを用いて決定することができる。２種類の波形特徴量を用いる場合、図９に示すような境界線が定められる。サージ血圧識別用データは、特徴空間上での境界を示すデータを含む。
【００５８】
上述した例では、典型的なサージ血圧波形の１つのデータセットを用いている。しかしながら、典型的なサージ血圧波形のデータセットを複数用いてもよい。睡眠中にサージ血圧が発生する要因としては、主として、無呼吸、レム（ＲＥＭ；Rapid Eye Movement）睡眠、および覚醒反応が考えられる。サージ血圧がどの要因により発生したのかは、ＰＳＧ（polysomnography）によって睡眠状態と血圧を計測することにより判断することができる。サージ血圧は複合的な要因により発生することもある。例えば、無呼吸とＲＥＭ睡眠とによりサージ血圧が発生することもある。また、無呼吸とＲＥＭ睡眠と覚醒反応とによりサージ血圧が発生することもある。なお、要因を特定できないサージ血圧もある。図１０に示す例では、無呼吸、ＲＥＭ、および覚醒反応の３つの要因（クラス）に対応する、典型的なサージ血圧波形の３つのデータセットが用意される。３つのクラスそれぞれに対して、上述したものと同様の方法により特徴空間上に境界が定められる。境界の各々は、他の境界と部分的に重なり得る。この例では、サージ血圧識別用データは、３つのクラスそれぞれの特徴空間上に設定された境界を示すデータを含む。
【００５９】
サージ血圧識別部１５４は、波形特徴量算出部１５３によって算出された波形特徴量の特徴空間上での位置と特徴空間上に設定された境界線または面とに基づいて、サージ血圧候補の血圧波形がサージ血圧であるか否かを識別する。具体的には、サージ血圧識別部１５４は、特徴ベクトルが特徴空間上の境界の内側にあるか外側にあるかに基づいて、サージ血圧候補の血圧波形がサージ血圧か否かを識別する。血圧波形抽出部１５２によって複数の一心拍分の血圧波形が抽出されている場合、サージ血圧識別部１５４は、例えば、多数決で識別を行う。具体的には、サージ血圧識別部１５４は、特徴空間上の境界の内側に位置する特徴ベクトルの数が特徴空間上の境界の外側に位置する特徴ベクトルの数より多い場合に、サージ血圧候補の血圧波形がサージ血圧であると識別し、特徴空間上の境界の内側に位置する特徴ベクトルの数が特徴空間上の境界の外側に位置する特徴ベクトルの数より少ない場合に、サージ血圧候補の血圧波形がサージ血圧でないと識別する。他の例では、特徴空間上の境界の内側に位置する特徴ベクトルが少なくとも１つある場合に、サージ血圧識別部１５４は、サージ血圧候補の血圧波形がサージ血圧であると識別してもよい。
【００６０】
次に、血圧データ処理装置１０の動作について説明する。  
図１１は、第１の実施形態に係るサージ血圧を検出する手順例を示している。図１１のステップＳ１１１において、血圧データが血圧データ記憶部１２から読み出される。ステップＳ１１２において、サージ血圧候補検出部１４は、血圧データからサージ血圧候補となる血圧波形を検出する。ここでは、説明を簡単にするために、サージ血圧候補の血圧波形が１つ検出されたとする。サージ血圧候補の血圧波形が複数検出された場合には、各々について次に説明する処理が実行される。
【００６１】
ステップＳ１１３において、サージ血圧判定部１５は、サージ血圧候補の血圧波形に対して対象区間を設定する。ステップＳ１１４において、サージ血圧判定部１５は、対象区間の血圧波形から一心拍以上の血圧波形を抽出する。ステップＳ１１５において、サージ血圧判定部１５は、抽出した一心拍以上の血圧波形から波形特徴量を算出する。具体的には、サージ血圧判定部１５は、一心拍以上の血圧波形から分離した一心拍分の血圧波形の各々について、または、一心拍以上の血圧波形から分離した一心拍分の血圧波形を平均した平均血圧波形について、波形特徴量を算出する。ステップＳ１１６において、サージ血圧判定部１５は、算出した波形特徴量に基づいて、一心拍分の血圧波形の各々または平均血圧波形がサージ血圧に関連するか否かを識別する。例えば、サージ血圧判定部１５は、算出した波形特徴量を表す特徴ベクトルが特徴空間上に設定された境界線または面の内側にあるか外側にあるかの判定に基づいて、一心拍分の血圧波形の各々または平均血圧波形がサージ血圧に関連するか否かを識別する。
【００６２】
ステップＳ１１３において抽出された対象区間の血圧波形に複数心拍分の血圧波形が含まれる場合、ステップＳ１１４〜Ｓ１１６の処理は、一心拍分の血圧波形それぞれに対して行われる。
【００６３】
ステップＳ１１７において、サージ血圧判定部１５は、繰り返し実行された識別（ステップＳ１１６）の結果に基づいて、サージ血圧候補の血圧波形がサージ血圧であるか否かを判定する。具体的には、サージ血圧判定部１５は、サージ血圧であると識別した回数がサージ血圧ではないと識別した回数よりも多い場合に、サージ血圧候補の血圧波形がサージ血圧であると判定し、サージ血圧であると識別した回数がサージ血圧ではないと識別した回数よりも少ない場合に、サージ血圧候補の血圧波形がサージ血圧でないと判定する。
【００６４】
以上のように、血圧データ処理装置１０は、サージ血圧候補の血圧波形から一心拍以上の血圧波形を抽出し、抽出した一心拍以上の血圧波形から波形特徴量を算出し、算出した波形特徴量を示す特徴ベクトルと特徴空間上に設定された境界とに基づいて、サージ血圧候補の血圧波形がサージ血圧であるか否かを判定する。サージ血圧については一意の定義はないが、研究などのために収集された血圧データからサージ血圧であると断定することができる典型的な血圧波形を抽出することが可能である。このようにして抽出された典型的な血圧波形に基づいて特徴空間上に境界が定められる。これにより、サージ血圧候補の血圧波形から算出した波形特徴量を用いて、サージ血圧候補の血圧波形がサージ血圧であるか否かを判定することが可能になる。この結果、人手を介することなしに、連続血圧測定によって得られた血圧データに含まれる急激な血圧変動がサージ血圧であるのかノイズであるのかを判断することが可能になる。さらに、特徴空間上の境界は、特定の疾患に関連するとされるサージ血圧から抽出されたサージ血圧波形に基づいて決定されることができる。これにより、特定の疾患についての診察または治療を効率的に行うことが可能になる。
【００６５】
サージ血圧識別部１５４によりサージ血圧でないと判定された血圧波形に関する情報がサージ血圧識別用データ生成部１５５にフィードバックされることができる。サージ血圧識別用データ生成部１５５は、サージ血圧でないと判定された血圧波形から抽出される一心拍以上の血圧波形を特徴空間上でクラスタリングするクラスタリング部として機能することができる。図１２に示す例では、２つのクラスが新たに生成されている。新たに生成されたクラスは、何らかの要因に関連すると考えられる。
【００６６】
情報出力部１７は、クラスの各々の重心の近傍に（例えば最も近くに）位置する一心拍以上の血圧波形を代表サージ血圧波形として出力する。例えば、図１３に示すように、新たなクラスそれぞれについて代表サージ血圧波形を含む血圧波形が表示される。さらに、新たなクラスが検出されたことを示すメッセージが表示されてもよい。
【００６７】
専門家は、表示された血圧波形を解析し、例えば後述する入力装置を用いて、各クラスに対して新たなラベルを設定する。例えば、図１４に示すように、クラスの一方には不整脈型というラベルが設定され、他方にはノイズというラベルが設定される。不整脈は心臓麻痺などの心臓疾患を発症するリスクを高める。したがって、サージ血圧識別用データ生成部１５５は、無呼吸、ＲＥＭ睡眠、および覚醒反応の３つのクラスに関する境界とともに、不整脈のクラスに関する境界を含むサージ血圧識別用データをサージ血圧識別部１５４に与える。
【００６８】
このように、サージ血圧識別部１５４によりサージ血圧でないと判定された血圧波形に対してクラスタリングを行うことにより、新たなクラスを生成することができる。専門家は、新たなクラスに含まれる血圧波形を調べることにより、既に定義されている要因以外の要因を発見することができる。
【００６９】
図１５を参照して血圧データ処理装置１０のハードウェア構成例について説明する。  
血圧データ処理装置１０は、ＣＰＵ３１、ＲＯＭ３２、ＲＡＭ３３、補助記憶装置３４、入力装置３５、出力装置３６、および送受信器３７を備え、これらがバスシステム３８を介して互いに接続されている。血圧データ処理装置１０の上述した機能は、ＣＰＵ３１がコンピュータ読み取り可能な記憶媒体（ＲＯＭ３２および／または補助記憶装置３４）に記憶されたプログラムを読み出し実行することにより実現されることができる。ＲＡＭ３３は、ＣＰＵ３１によってワークメモリとして使用される。補助記憶装置３４は、例えば、ハードディスクドライブ（ＨＤＤ）またはソリッドステートドライブ（ＳＤＤ）を含む。補助記憶装置３４は、血圧データ記憶部１２（図１）およびサージ血圧波形記憶部１５６（図７）として使用される。入力装置は、例えば、キーボード、マウス、およびマイクロフォンを含む。出力装置は、例えば、液晶表示装置などの表示装置およびスピーカを含む。送受信器３７は、他のコンピュータとの間で信号の送受信を行う。例えば、送受信器３７は、血圧測定装置２０から血圧データを受信する。
【００７０】
［その他の実施形態］
上述した実施形態では、サージ血圧識別用データ生成部１５５およびサージ血圧波形記憶部１５６は血圧データ処理装置１０のサージ血圧判定部１５に設けられている。他の実施形態では、サージ血圧識別用データ生成部１５５およびサージ血圧波形記憶部１５６は血圧データ処理装置１０と異なる装置に設けられていてもよい。言い換えると、外部装置においてサージ血圧識別用データが生成されて、サージ血圧識別用データが血圧データ処理装置１０に与えられもよい。
【００７１】
また、上述した実施形態では、血圧データ処理装置１０は血圧測定装置２０とは別に設けられている。他の実施形態では、血圧データ処理装置１０の機能の一部または全部が血圧測定装置２０に設けられていてもよい。
【００７２】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７３】
上記の実施形態の一部又は全部は、以下の付記のようにも記載され得るが、以下には限られるものではない。
【００７４】
（付記１）
ハードウェアプロセッサと、
前記ハードウェアプロセッサに結合されたメモリと、
を備え、
前記ハードウェアプロセッサは、
血圧データを取得し、
前記血圧データからサージ血圧候補となる血圧波形を検出し、
前記サージ血圧候補の前記血圧波形から一心拍以上の血圧波形を抽出し、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出し、
前記波形特徴量に基づいて、前記サージ血圧候補の前記血圧波形がサージ血圧であるか否かを識別する
ように構成された、血圧データ処理装置。
【００７５】
（付記２）
少なくとも１つのハードウェアプロセッサを用いて、血圧データを取得することと、
少なくとも１つのハードウェアプロセッサを用いて、前記血圧データからサージ血圧候補となる血圧波形を検出することと、
少なくとも１つのハードウェアプロセッサを用いて、前記サージ血圧候補の前記血圧波形から一心拍以上の血圧波形を抽出することと、
少なくとも１つのハードウェアプロセッサを用いて、前記一心拍以上の血圧波形から分離した一心拍分の血圧波形の各々について、または、前記一心拍以上の血圧波形から分離した前記一心拍分の血圧波形を平均した平均血圧波形について、波形特徴量を算出することと、
少なくとも１つのハードウェアプロセッサを用いて、前記波形特徴量に基づいて、前記サージ血圧候補の前記血圧波形がサージ血圧であるか否かを識別することと、
を具備する血圧データ処理方法。
【符号の説明】
【００７６】
１０…血圧データ処理装置、１１…血圧データ取得部、１２…血圧データ記憶部、１３…前処理部、１４…サージ血圧候補検出部、１５…サージ血圧判定部、１６…情報生成部、１７…情報出力部、１８…指示受付部、２０…血圧測定装置、２１…血圧測定部、２２…センサ部、２３…押圧機構、２４…加速度センサ、２５…記憶部、２６…入力部、２７…出力部、２８…制御部、３１…ＣＰＵ、３２…ＲＯＭ、３３…ＲＡＭ、３４…補助記憶装置、３５…入力装置、３６…出力装置、３７…送受信器、３８…バスシステム、１５１…対象区間設定部、１５２…血圧波形抽出部、１５３…波形特徴量算出部、１５４…サージ血圧識別部、１５５…サージ血圧識別用データ生成部、１５６…サージ血圧波形記憶部、２２１…圧力センサアレイ、２２２…圧力センサ。
【図１】
2018149188.tif 000003
【図２】
2018149188.tif 000004
【図３】
2018149188.tif 000005
【図４】
2018149188.tif 000006
【図５】
2018149188.tif 000007
【図６】
2018149188.tif 000008
【図７】
2018149188.tif 000009
【図８】
2018149188.tif 000010
【図９】
2018149188.tif 000011
【図１０】
2018149188.tif 000012
【図１１】
2018149188.tif 000013
【図１２】
2018149188.tif 000014
【図１３】
2018149188.tif 000015
【図１４】
2018149188.tif 000016
【図１５】
2018149188.tif 000017